(57)【要約】【課題】通常使い慣れているナビゲーションシステムが変わった環境下においても、ユーザーデータを共有でき、同一のユーザーインターフェイスを利用することができる記録媒体およびナビゲーションシステムおよび携帯端末を提供する。【解決手段】ナビゲーション用のアプリケーションプログラムが記録されたＲＯＭ層と、ナビゲーション用データを含むユーザーデータが記録されるＲＡＭ層とを有するコンビネーションブルーレイディスク１０が着脱可能なドライブ装置１と、上記ドライブ装置１によりコンビネーションブルーレイディスク１０のＲＡＭ層から読み込まれたナビゲーション用データに基づいて、ドライブ装置１によりコンビネーションブルーレイディスク１０のＲＯＭ層から読み込まれたアプリケーションプログラムを実行する制御装置２とを備える。【選択図】図１
2010003398.tif 000002
【特許請求の範囲】
【請求項１】
記録再生装置に対して着脱可能な記録媒体であって、
少なくともナビゲーション用のアプリケーションプログラムが記録された読出し専用記録部と、
ナビゲーション用データを含むユーザーデータが記録される記録可能な記録部と
を有することを特徴とする記録媒体。
【請求項２】
請求項１に記載の記録媒体において、
上記読出し専用記録部である読出し専用記録層と、上記記録可能な記録部である記録可能な記録層とが積層された光ディスクであることを特徴とする記録媒体。
【請求項３】
請求項２に記載の記録媒体において、
上記記録可能な記録部である記録可能な記録層は、記録後の書き換えが不可能な第１の記録層と、書き込みが複数回記録可能な第２の記録層とを有することを特徴とする記録媒体。
【請求項４】
請求項２または３に記載の記録媒体において、
円盤状の基材と、
上記円盤状の基材上に形成された上記記録可能な記録層と、
上記記録可能な記録層上に形成された上記読出し専用記録層と、
上記読出し専用記録層上に形成されたカバー層と
を有する光ディスクであることを特徴とする記録媒体。
【請求項５】
請求項１から４までのいずれか１つに記載の記録媒体において、
上記読出し専用記録部にオペレーティングシステムプログラムが記録されていることを特徴とする記録媒体。
【請求項６】
請求項１から５までのいずれか１つに記載の記録媒体において、
上記読出し専用記録部は、論理的に書き込みが禁止されていることを特徴とする記録媒体。
【請求項７】
請求項１から５までのいずれか１つに記載の記録媒体において、
上記読出し専用記録部は、物理的に書き込みが禁止されていることを特徴とする記録媒体。
【請求項８】
請求項１から７までのいずれか１つに記載の記録媒体が着脱可能であり、装着された上記記録媒体の読み込みおよび書き込みを行う記録再生装置と、
上記記録再生装置により上記記録媒体の上記記録可能な記録部から読み込まれた上記ナビゲーション用データに基づいて、上記記録再生装置により上記記録媒体の読出し専用記録部から読み込まれた上記アプリケーションプログラムを実行する制御装置と
を備えたことを特徴とするナビゲーションシステム。
【請求項９】
請求項８に記載のナビゲーションシステムにおいて、
上記ナビゲーション用データを取得するナビゲーション用データ取得部を備え、
上記制御装置は、上記ナビゲーション用のアプリケーションプログラムを実行しているとき、上記ナビゲーション用データ取得部により取得された上記ナビゲーション用データを、上記記録再生装置により上記記録媒体の上記記録可能な記録部に書き込むように、上記記録再生装置を制御することを特徴とするナビゲーションシステム。
【請求項１０】
請求項９に記載のナビゲーションシステムにおいて、
上記ナビゲーション用データ取得部により取得された上記ナビゲーション用データを記録するバッファメモリを備え、
上記制御装置は、上記バッファメモリから読み込まれた上記ナビゲーション用データを、上記記録媒体の上記記録可能な記録部に書き込むように、上記記録再生装置を制御することを特徴とするナビゲーションシステム。
【請求項１１】
請求項９または１０に記載のナビゲーションシステムにおいて、
上記制御装置は、上記ナビゲーション用データ取得部により取得された更新すべき上記ナビゲーション用データについて、上記記録媒体の上記記録可能な記録部に記録された上記ナビゲーション用データを更新するように、上記記録再生装置を制御することを特徴とするナビゲーションシステム。
【請求項１２】
請求項８から１１までのいずれか１つに記載のナビゲーションシステムにおいて、
上記記録再生装置は、上記記録媒体の上記読出し専用記録部または上記記録可能な記録部からデータの読み込みを行うと共に、上記記録媒体の上記記録可能な記録部にデータの書き込みを行うことを特徴とするナビゲーションシステム。
【請求項１３】
請求項８から１２のいずれか１つに記載のナビゲーションシステムにおいて、
上記制御装置は、上記記録媒体の読出し専用記録部から上記アプリケーションプログラムを読み込む前に、上記記録媒体の上記読出し専用記録部に記録された上記オペレーティングシステムプログラムを読み込むように上記記録再生装置を制御して、読み込まれた上記オペレーティングシステムプログラムを実行することを特徴とするナビゲーションシステム。
【請求項１４】
請求項８から１３のいずれか１つに記載のナビゲーションシステムにおいて、
上記制御装置は、上記記録媒体の上記記録可能な記録部に対して上記ナビゲーション用データのうちの地図データの読み込みおよび書き込みを行うように、上記記録再生装置を制御することを特徴とするナビゲーションシステム。
【請求項１５】
請求項８から１４のいずれか１つに記載のナビゲーションシステムにおいて、
上記制御装置は、上記記録媒体の上記記録可能な記録部に対してコンテンツデータの読み込みおよび書き込みを行うように、上記記録再生装置を制御することを特徴とするナビゲーションシステム。
【請求項１６】
請求項８から１５までのいずれか１つに記載のナビゲーションシステムを搭載したことを特徴とする携帯端末。
【請求項１７】
ナビゲーションシステムにより読み取り可能な光ディスクにおいて、
アプリケーションプログラムの実行環境を整えるためのブートプログラムと、ナビゲーションを行うナビゲーションプログラムと、が記録されており、
上記ナビゲーションプログラムは、上記ブートプログラムによって整えられたアプリケーションプログラムの実行環境下で実行可能なプログラムであることを特徴とする光ディスク。
【発明の詳細な説明】
【技術分野】
【０００１】
この発明は、記録媒体およびナビゲーションシステムおよび携帯端末および光ディスクに関し、詳しくは、地図データ等が記録された記録媒体およびその記録媒体を用いたナビゲーションシステムおよび携帯端末および光ディスクに関する。
【背景技術】
【０００２】
近年、車両の運転に際して、道案内するカーナビゲーションシステムが広く普及している。また、携帯電話等の小型情報機器においても、歩行者のナビゲーションを行うシステムが普及している。これらは、ＧＰＳ(Global Positioning System：全地球測位システム)等によって車両や歩行者の位置を把握し、表示画面や音声等を用いて運転者に目的地へのルートを案内するものである。
【０００３】
特に最近では、単に現在地から目的地へのルートを案内するだけでなく、ユーザーデータ(ユーザーの走行記録やユーザーの走行記録から得られた新規道路情報等)を記録し、ユーザーに応じたナビゲーションを行う双方向的なものとなっている。
【０００４】
例えば、特許文献１では、ユーザーの走行軌跡から新規の道路情報を作成して、記録媒体に記録する技術が開示されている。また、特許文献２では、ユーザーによって予め家庭内で書き込まれた位置情報を、カーナビゲーションシステムが読み出す技術が開示されている。さらに、特許文献３では、地図上にない道路を走行している場合に、走行軌跡から新規道路情報を生成し、地図を自動更新する技術が開示されている。
【０００５】
ところが、一般にこれらのナビゲーションソフトウェアは、カーナビゲーションシステム本体に付随しているため、別の車のナビゲーションシステムを使うときには、例えば、他の人の車やレンタカーを使うときには、これらの自身のユーザーデータを共有できない。
【０００６】
例えば、レンタカーを借りた場合や、車を乗り換えた場合において、ユーザーデータを最初から作り直さなければならない。
【０００７】
また、一般にナビゲーションシステムごとに異なるインターフェースを有しており、普段使わない車に乗ったときには、ユーザーは新しいユーザーインターフェースに慣れるまでに多大な苦労を必要とする。
【特許文献１】特開平７−４９９９３号公報
【特許文献２】特開平１１−９４５７７号公報
【特許文献３】特開２００４−２５１７９０号公報
【発明の開示】
【発明が解決しようとする課題】
【０００８】
そこで、本発明の課題は、通常使い慣れているナビゲーションシステムと異なるナビゲーションシステムを使用する場合においても、ユーザーデータを共有でき、同一のユーザーインターフェースを利用することができる記録媒体およびナビゲーションシステムおよび携帯端末および光ディスクを提供することにある。
【課題を解決するための手段】
【０００９】
上記課題を解決するため、この発明の記録媒体は、
記録再生装置に対して着脱可能な記録媒体であって、
少なくともナビゲーション用のアプリケーションプログラムが記録された読出し専用記録部と、
ナビゲーション用データを含むユーザーデータが記録される記録可能な記録部と
を有することを特徴とする。
【００１０】
上記構成の記録媒体によれば、ナビゲーションシステムにおいて、読出し専用記録部に記憶されたナビゲーション用のアプリケーションプログラムを読み込むと共に、上記記録可能な記録部に記録されたナビゲーション用データを含むユーザーデータを読み込む。そして、上記ナビゲーションシステムでナビゲーション用のアプリケーションプログラムが実行されると、ユーザーデータに含まれるナビゲーション用データを用いて、道案内を行う。このようなユーザーデータのナビゲーション用データを用いて、ナビゲーション用のアプリケーションプログラムを実行するナビゲーションシステムを、構成,機能の共通するシステムとして標準化することによって、ユーザーが普段使っているナビゲーションシステムと異なるナビゲーションシステムを使用する場合においても、ユーザーデータを共有でき、ユーザーインターフェースを共通化することができる。また、読出し専用記録部は、書き込みが禁止されている記録部であり、記録されたナビゲーション用のアプリケーションプログラムなどを消去したり書き換えたりしてはいけないデータを保護できる。
【００１１】
また、一実施形態の記録媒体では、上記読出し専用記録部である読出し専用記録層と、上記記録可能な記録部である記録可能な記録層とが積層された光ディスクである。
【００１２】
上記実施形態によれば、上記読出し専用記録部である読出し専用記録層と、上記記録可能な記録部である記録可能な記録層とが積層された光ディスクを記録媒体として用いることによって、取り扱いが簡便で、ナビゲーションシステム間での移し替えが容易にできる。
【００１３】
また、一実施形態の記録媒体では、上記記録可能な記録部である記録可能な記録層は、記録後の書き換えが不可能な第１の記録層と、書き込みが複数回記録可能な第２の記録層とを有する。
【００１４】
上記実施形態によれば、上記記録可能な記録部である記録可能な記録層のうちの記録後の書き換えが不可能な第１の記録層には、例えば、変更の必要がないユーザー個人の認証のためのデータを書き込む。また、上記記録可能な記録部である記録可能な記録層のうちの書き込みが複数回記録可能な第２の記録層には、ユーザーデータに含まれる更新の必要がある地図データあるいは経路情報などのナビゲーション用データを書き込む。
【００１５】
また、一実施形態の記録媒体では、
円盤状の基材と、
上記円盤状の基材上に形成された上記記録可能な記録層と、
上記記録可能な記録層上に形成された上記読出し専用記録層と、
上記読出し専用記録層上に形成されたカバー層と
を有する光ディスクである。
【００１６】
上記実施形態によれば、円盤状の基材と、円盤状の基材上に形成された上記記録可能な記録層と、上記記録可能な記録層上に形成された上記読出し専用記録層と、上記読出し専用記録層上に形成されたカバー層とを有する光ディスクを記録媒体として用いることによって、記録可能な記録層と読出し専用記録層が２層構造であるので、関連するデータを光ディスクにおいて同じ半径位置に記録して、記録可能な記録層と読出し専用記録層に記録されたデータを交互に読み込むときにピックアップの移動を少なくすることができ、読出し動作や書き込み動作の高速化が可能となる。したがって、ディスクアクセスが煩雑になるナビゲーションにおいて、高速化に特に有効である。さらには、２層構造は、記録容量を大幅に増やすことができるという特徴を有する。
【００１７】
また、一実施形態の記録媒体では、上記読出し専用記録部にオペレーティングシステムプログラムが記録されている。
【００１８】
上記実施形態によれば、上記読出し専用記録部にオペレーティングシステムプログラムが記録されていることによって、ユーザーが普段使っているナビゲーションシステムと異なるナビゲーションシステムを使用する場合においても同一のオペレーティングシステムを使用することができるので、異なるナビゲーションシステム間でも同一のユーザーインターフェースを利用することができる。また、オペレーティングシステムプログラムを誤って書き換えてしまうことを防止できる。
【００１９】
また、一実施形態の記録媒体では、上記読出し専用記録部は、論理的に書き込みが禁止されている。
【００２０】
上記実施形態によれば、上記読出し専用記録部への書き込みが論理的に禁止されていることによって、論理的な禁止を解除することにより読出し専用記録部への書き込みが可能となり、ナビゲーション用のアプリケーションプログラムなどを一括して更新することができる。
【００２１】
また、一実施形態の記録媒体では、上記読出し専用記録部は、物理的に書き込みが禁止されている。
【００２２】
上記実施形態によれば、上記読出し専用記録部への書き込みが物理的に禁止されていることによって、読出し専用記録部に記録されたナビゲーション用のアプリケーションプログラムなどがナビゲーションシステムの誤動作などにより書き換えられる恐れがなく、安全性が高くなる。
【００２３】
また、この発明のナビゲーションシステムでは、
上記のいずれか１つの記録媒体が着脱可能であり、装着された上記記録媒体の読み込みおよび書き込みを行う記録再生装置と、
上記記録再生装置により上記記録媒体の上記記録可能な記録部から読み込まれた上記ナビゲーション用データに基づいて、上記記録再生装置により上記記録媒体の読出し専用記録部から読み込まれた上記アプリケーションプログラムを実行する制御装置と
を備えた。
【００２４】
上記構成によれば、上記記録再生装置に装着された上記記録媒体の読出し専用記録部に記憶されたナビゲーション用のアプリケーションプログラムを読み込むと共に、上記記録可能な記録部に記録されたナビゲーション用データを含むユーザーデータを読み込む。そして、上記制御装置により、ナビゲーション用のアプリケーションプログラムが実行されると、ユーザーデータに含まれるナビゲーション用データを用いて道案内を行う。このようなユーザーデータのナビゲーション用データを用いて、ナビゲーション用のアプリケーションプログラムを実行するナビゲーションシステムを、構成,機能の共通するシステムとして標準化することによって、ユーザーが普段使っているナビゲーションシステムと異なるナビゲーションシステムを使用する場合においても、ユーザーデータを共有でき、同一のユーザーインターフェースを利用することができる。
【００２５】
また、一実施形態のナビゲーションシステムでは、
上記ナビゲーション用データを取得するナビゲーション用データ取得部を備え、
上記制御装置は、上記ナビゲーション用のアプリケーションプログラムを実行しているとき、上記ナビゲーション用データ取得部により取得された上記ナビゲーション用データを、上記記録再生装置により上記記録媒体の上記記録可能な記録部に書き込むように、上記記録再生装置を制御する。
【００２６】
上記実施形態によれば、上記制御装置は、ナビゲーション用のアプリケーションプログラムを実行しているとき、記録再生装置を制御して、ナビゲーション用データ取得部により取得されたナビゲーション用データを、記録再生装置により記録媒体の記録可能な記録部に書き込む。ここで、ナビゲーション用データ取得部により取得されたナビゲーション用データとしては、例えばカーナビゲーションシステムでは、自動車の各種データ、ナビゲーション動作中にユーザーが入力したデータ、走行軌跡データなどがある。
【００２７】
また、一実施形態のナビゲーションシステムでは、
上記ナビゲーション用データ取得部により取得された上記ナビゲーション用データを記録するバッファメモリを備え、
上記制御装置は、上記バッファメモリから読み込まれた上記ナビゲーション用データを、上記記録媒体の上記記録可能な記録部に書き込むように、上記記録再生装置を制御する。
【００２８】
上記実施形態によれば、上記制御装置は、記録再生装置を制御して、バッファメモリから読み込まれたナビゲーション用データを、記録媒体の記録可能な記録部にまとめて書き込むことによって、記録媒体への書き込み頻度を少なくし、記録媒体への書き込み動作を効率的に行うことができる。ここで、ナビゲーション動作が終了したときに書き込み動作を行ってもよいし、バッファメモリに記録されたデータの容量が所定値を越えたときに書き込み動作を行ってもよいし、バッファメモリに記録されたデータがあるときに所定時間毎に書き込み動作を行ってもよい。また、これらを組み合わせた書き込み動作でもよい。
【００２９】
また、一実施形態のナビゲーションシステムでは、上記制御装置は、上記ナビゲーション用データ取得部により取得された更新すべき上記ナビゲーション用データについて、上記記録媒体の上記記録可能な記録部に記録された上記ナビゲーション用データを更新するように、上記記録再生装置を制御する。
【００３０】
上記実施形態によれば、上記制御装置は、記録再生装置を制御して、ナビゲーション用データ取得部により取得された更新すべきナビゲーション用データについて、記録媒体の記録可能な記録部に記録されたナビゲーション用データを更新することにより、記録可能な記録部のナビゲーション用データの更新が確実に行われる。
【００３１】
また、一実施形態のナビゲーションシステムでは、上記記録再生装置は、上記記録媒体の上記読出し専用記録部または上記記録可能な記録部からデータの読み込みを行うと共に、上記記録媒体の上記記録可能な記録部にデータの書き込みを行う。
【００３２】
また、一実施形態のナビゲーションシステムでは、上記制御装置は、上記記録媒体の読出し専用記録部から上記アプリケーションプログラムを読み込む前に、上記記録媒体の上記読出し専用記録部に記録された上記オペレーティングシステムプログラムを読み込むように上記記録再生装置を制御して、読み込まれた上記オペレーティングシステムプログラムを実行する。
【００３３】
上記実施形態によれば、上記記録媒体の読出し専用記録部からアプリケーションプログラムを読み込む前に、制御装置により記録再生装置を制御して、記録媒体の読出し専用記録部に記録されたオペレーティングシステムプログラムを読み出し、読み込まれたオペレーティングシステムプログラムを実行することによって、制御の基幹となる汎用性の高いオペレーティングシステムプログラムをナビゲーションシステムに導入して、標準化することができる。
【００３４】
また、一実施形態のナビゲーションシステムでは、上記制御装置は、上記記録媒体の上記記録可能な記録部に対して上記ナビゲーション用データのうちの地図データの読み込みおよび書き込みを行うように、上記記録再生装置を制御する。
【００３５】
上記実施形態によれば、上記制御装置により記録再生装置を制御して、記録媒体の記録可能な記録部に対してナビゲーション用データのうちの地図データの読み込みおよび書き込みを行うことによって、読み込まれた地図データによりナビゲーション動作を行うと共に、更新が必要な地図データに対して新しい地図データを書き込んで更新することができる。また、記録媒体の記録可能な記録部に対して地図データを一括して更新することも可能となる。
【００３６】
また、一実施形態のナビゲーションシステムでは、上記制御装置は、上記記録媒体の上記記録可能な記録部に対してコンテンツデータの読み込みおよび書き込みを行うように、上記記録再生装置を制御する。
【００３７】
上記実施形態によれば、上記制御装置により記録再生装置を制御して、記録媒体の記録可能な記録部に対してコンテンツデータの読み込みおよび書き込みを行うことによって、ユーザーが普段使っているナビゲーションシステムと異なるナビゲーションシステムを使用する場合においても、音楽,映像,画像などのコンテンツデータを読み込んで、再生することができる。
【００３８】
また、この発明の携帯端末では、上記のいずれか１つのナビゲーションシステムを搭載したことを特徴とする。
【００３９】
上記構成によれば、上記ナビゲーションシステムを搭載することによって、携帯端末が変わった場合においても、ユーザーデータを共有でき、同一のユーザーインターフェースを利用することができる。
【００４０】
また、この発明の光ディスクでは、
ナビゲーションシステムにより読み取り可能な光ディスクにおいて、
アプリケーションプログラムの実行環境を整えるためのブートプログラムと、ナビゲーションを行うナビゲーションプログラムと、が記録されており、
上記ナビゲーションプログラムは、上記ブートプログラムによって整えられたアプリケーションプログラムの実行環境下で実行可能なプログラムであることを特徴とする。
【００４１】
上記構成によれば、通常使い慣れているナビゲーションシステムが変わった環境下においても、ユーザーデータを共有でき、同一のユーザーインターフェースを利用することができる。
【発明の効果】
【００４２】
以上より明らかなように、この発明の記録媒体によれば、通常使い慣れているナビゲーションシステムと異なるナビゲーションシステムを使用する場合においても、ユーザーデータを共有でき、同一のユーザーインターフェースでナビゲーションシステムを利用することができる。
【００４３】
また、この発明のナビゲーションシステムによれば、通常使い慣れているナビゲーションシステムと異なるナビゲーションシステムを使用する場合においても、ユーザーデータを共有でき、同一のユーザーインターフェースを利用できるナビゲーションシステムを提供することができる。
【００４４】
また、この発明の携帯端末によれば、携帯端末が変わった場合においても、ユーザーデータを共有でき、同一のユーザーインターフェースを利用できる携帯端末を提供することができる。
【００４５】
また、この発明の光ディスクによれば、通常使い慣れているナビゲーションシステムと異なるナビゲーションシステムを使用する場合においても、ユーザーデータを共有でき、同一のユーザーインターフェースでナビゲーションシステムを利用することができる。
【発明を実施するための最良の形態】
【００４６】
以下、この発明の記録媒体およびナビゲーションシステムおよび携帯端末および光ディスクを図示の実施の形態により詳細に説明する。この発明における「記録媒体」とは、媒体部分のみで記録再生装置に対して着脱可能なものであり、媒体に記録するための記録手段(書き込みヘッドなど)と共に着脱する着脱可能なＨＤＤ(ハード・ディスク・ドライブ)とは異なる。
【００４７】
〔第１実施形態〕
図１はこの発明の第１実施形態の記録媒体を用いたナビゲーションシステムの一例としてのカーナビゲーションシステムの構成を示すブロック図である。
【００４８】
この第１実施形態のカーナビゲーションシステムは、図１に示すように、記録媒体の一例としてのＤＶＤ(Digital Versatile Disc：ディジタル多用途ディスク)ディスクや次世代光ディスクであるBlu-rayディスクなどの光ディスク１０が装着される記録再生装置の一例としてのドライブ装置１と、上記ドライブ装置１を制御して、光ディスク１０の読み込みおよび書き込みを行う制御装置２と、車両の現在位置を検出して位置情報を制御装置２に出力する車両位置検出部３と、上記制御装置２により制御され、音声案内によりユーザーにナビゲーションを行うためのスピーカー４と、上記制御装置２により制御され、地図や自車両の位置を表示させる液晶ディスプレイ等からなる表示部５と、上記制御装置２により制御され、ユーザーからのキー操作を受け付けるキー入力部６と、バッファメモリ７とを備えている。ここで、本発明に最適な光ディスクについて説明する。本発明での光ディスクはＯＳ(Operating System：オペレーティング・システム)プログラムやナビゲーションプログラム等が記録された読出し専用記録部の一例としての再生領域と、ユーザーデータなどを記録する記録領域の両方、即ち再生領域と記録領域の両方の領域を備える光ディスクである。
【００４９】
上記制御装置２は、ＣＰＵ(Central Processing Unit：中央処理装置)や入出力装置などからなり、カーナビゲーションシステム全体を制御する。
【００５０】
上記車両位置検出部３は、ＧＰＳ(Global Positioning System：全地球測位システム)受信機３aと、車の回転を検出するジャイロ３bと、車速を検出するための車速パルスセンサ３cとを有する。上記ＧＰＳ受信機３aによりＧＰＳ衛星からの位置情報電波をＧＰＳアンテナ１１を介して受信して、受信した位置情報に基づいて現在位置を示す緯度,経度を算出する。
【００５１】
なお、スピーカー４、表示部５、キー入力部６等のユーザーに対する情報の表示や、ユーザーのデータ入力を行う部分をユーザーインターフェースという。また、表示部５は、タッチパネルを含み、ユーザーからのキー操作を受け付けるようにしてもよい。
【００５２】
図２は上記カーナビゲーションシステムに用いられる光ディスク１０とドライブ装置１を示す模式図である。図２に示すドライブ装置１の挿入口１aに光ディスク１０を挿入する。
【００５３】
好ましくは、上記光ディスク１０には、ブルーレイディスク(Blu-ray Disc：登録商標)を２層または３層構造にしたものを用いている。ブルーレイディスクは、ＤＶＤと比較すると記録密度が約５倍高く、例えば、２層ディスクの場合、５０ＧＢの記録容量を持つ。
【００５４】
このような図１に示す構成のカーナビゲーションシステムで使用する光ディスク１０は、図３Ａに示すように、読出し専用記録部である読出し専用記録層の一例としてのＲＯＭ(リード・オンリー・メモリー)層３３と、記録可能な記録部である記録可能な記録層の一例としてのＲＡＭ(ランダム・アクセス・メモリー)層３１とで構成されている。
【００５５】
上記光ディスク１０は、円盤状の基材の一例としてのディスク基板３上に、ＲＡＭ層３１、中間層３２、ＲＯＭ層３３、カバー層３４が順に形成されている。上記ディスク基板３０は、厚さ１．１ｍｍのポリカーボネートからなる。ディスク基板の材料はこれに限らず、ポリオレフィン樹脂や金属などでもよい。
【００５６】
上記カバー層３４は、例えば、厚さ７５μｍの紫外線硬化樹脂からなる。カバー層３４の材料は、再生光の波長において透過率が高ければよく、ポリカーボネートフィルムと透明粘着剤で形成されていてもよいし、表面に表面保護のためのハードコートが設けられていてもよい。さらに再生装置が有する光学系に応じて厚さを変更してもよく、例えば０.６ｍｍのポリカーボネート基板でもよい。
【００５７】
また、上記ＲＯＭ層３３は、例えば、厚さ１０ｎｍの窒化シリコンからなる。ＲＯＭ層３３の厚さや材料はこれに限られるものではなく、再生光波長において屈折率が２.２以上２.５以下であり、かつ再生光の波長において透光性を有する誘電体で、ＲＡＭ層３１への水分の浸入を防止できる厚さであればよいし、例えば酸化タンタルなどでもよい。さらに多層構造であってもよい。
【００５８】
また、上記中間層３２は、例えば、厚さ２５μｍの透明紫外線硬化樹脂からなっている。また、中間層３２のＲＯＭ層３３側には、ＲＯＭ層３３に記録される情報に応じた凹凸からなるプリピットが設けられている。この中間層３２は、再生光の波長において透過率が高い材料であればよく、特に材料が限られるものではない。また、厚さも各記録層を分離でき、層間クロストークが問題にならない適度な厚さがあればよい。さらに多層構造であってもよい。
【００５９】
また、上記ＲＡＭ層３１は、例えば７層の薄膜からなり、再生光入射側より、第１保護膜として厚さ３５ｎｍのＺnＳ−ＳiＯ２、第２保護膜として厚さ５ｎｍのＺrＯ、記録層として厚さ１０ｎｍのＧeＴeＳb２Ｔe３、第３保護膜として厚さ５ｎｍのＺrＯ、第４保護膜として厚さ３５ｎｍのＺnＳ−Ｓi０２、第５保護膜として厚さ５ｎｍのＺrＯ、及び反射膜として２０ｎｍのＡＰＣ(ＡgＰdＣu)が順に積層されている。ＲＡＭ層３１の材料や厚さや層数は、これらに限られるものではなく、ＲＡＭ層として機能するものであればよい。
【００６０】
上記光ディスク１０のＲＡＭ層３１に対して、読み取り光がカバー層３４,ＲＯＭ層３３,中間層３２を介して集光されて記録情報を読み出し、ＲＯＭ層３３層に対しては、読み取り光がカバー層３４を介して集光されて記録情報を読み出す。ここで、上記光ディスク１０のＲＯＭ層３３は、書き込みが物理的に禁止されていることによって、ＲＯＭ層３３に記録されたナビゲーション用のアプリケーションプログラムなどがナビゲーションシステムの誤動作などにより書き換えられる恐れがなく、安全性が高くなる。
【００６１】
なお、上記ＲＯＭ層３３への書き込みが論理的に禁止されていてもよく、論理的な禁止を解除することによりＲＯＭ層３３への書き込みが可能となり、ナビゲーション用のアプリケーションプログラムなどを一括して更新することができる。
【００６２】
さらに、ＲＯＭ層３３には、ＯＳプログラムとナビゲーションプログラムが記録されている。また、ＲＡＭ層３１には、地図データ、ＯＳプログラムの更新情報、ナビゲーションプログラムの更新情報、地図データの更新情報、ユーザーデータが記録される。
【００６３】
ここで、「ＯＳプログラム」とは、制御装置２を制御する基本プログラムである。また、「ナビゲーションプログラム」とは、ナビゲーションに関連する位置情報処理、表示部５の処理、キー入力部６等のユーザーインターフェースの処理、スピーカー４から出力される音声処理等を制御するプログラムである。また、「地図データ」とは、経度,緯度に対応づけられた道路情報や建物情報、周辺情報(店,施設など)、道路や建物等の形状情報などである。また、「更新情報」とは、ＲＯＭ層３３に記録されたＯＳプログラムおよびナビゲーションプログラムの変更データ、および、ＲＡＭ層３１に記録された地図データの一部を更新する更新データである。また、「ユーザーデータ」とは、ユーザー登録情報、ユーザー固有のナビゲーション情報(過去の経路履歴や目各種設定情報など)、音楽等のコンテンツなどである。上記ユーザー登録情報である個人認証データを、例えば自動車の起動に用いたり、ＥＴＣ(Electronic Toll Collection)の決済に用いたりしてもよい。
【００６４】
なお、光ディスク１０の構成は、図３Ａに示す２層構造のものに限らず、図３Ｂ,図３Ｃに示す３層構造のコンビネーションブルーレイディスク等を用いてもよい。
【００６５】
図３Ｂに示すコンビネーションブルーレイディスクは、読出し専用記録部の一例としてのＲＯＭ層４５と、記録可能な記録部の一例としてのＲＡＭ層４１,４３とで構成されている。
【００６６】
このコンビネーションブルーレイディスクは、ディスク基板４０上に、ＲＡＭ層４１、中間層４２、ＲＡＭ層４３、中間層４４、ＲＯＭ層４５、カバー層４６が順に形成されている。ＲＯＭ層４５は、物理的に再生専用であるが、論理的に再生専用であってもよい。上記コンビネーションブルーレイディスクのＲＡＭ層４１に対して、読み取り光がカバー層４６,ＲＯＭ層４５,中間層４４,ＲＡＭ層４３,中間層４２を介して集光されて記録情報を読み出し、ＲＡＭ層４３に対しては、読み取り光がカバー層４６,ＲＯＭ層４５,中間層４４を介して集光されて記録情報を読み出し、ＲＯＭ層４５層に対しては、読み取り光がカバー層４６を介して集光されて記録情報を読み出す。
【００６７】
また、図３Ｃに示すコンビネーションブルーレイディスクは、読出し専用記録部の一例としてのＲＯＭ層５５と、記録可能な記録部の一例としてのＲＡＭ層５１,ＲＯ層５３とで構成されている。
【００６８】
このコンビネーションブルーレイディスクは、ディスク基板５０上に、ＲＡＭ層５１、中間層５２、ＲＯ層５３、中間層５４、ＲＯＭ層５５、カバー層５６が順に形成されている。ＲＯＭ層５５は、物理的に再生専用であるが、論理的に再生専用であってもよい。
【００６９】
このコンビネーションブルーレイディスクのＲＯ層５３は、記録後の書き換えが不可能な第１の記録層であり、ＲＡＭ層５１は、複数回書き込み可能な第２の記録層である。上記コンビネーションブルーレイディスクのＲＡＭ層５１に対して、読み取り光がカバー層,５６ＲＯＭ層５５,中間層５４,ＲＯ層５３,中間層５２を介して集光されて記録情報を読み出し、ＲＯ層５３に対しては、読み取り光がカバー層,５６ＲＯＭ層５５,中間層５４を介して集光されて記録情報を読み出し、ＲＯＭ層５５層に対しては、読み取り光がカバー層５６を介して集光されて記録情報を読み出す。
【００７０】
図３Ｃに示すコンビネーションブルーレイディスクでは、記録可能な記録部である記録可能な記録層のうちの記録後の書き換えが不可能な記録可能な第１の記録層であるＲＯ層５３は、例えば、変更の必要がないユーザー個人の認証のためのデータを書き込む。また、上記記録可能な記録部である記録可能な記録層のうちの書き込みが複数回記録可能な第２の記録層であるＲＡＭ層５１には、ユーザーデータに含まれる更新の必要がある地図あるいは経路情報などのナビゲーション用データを書き込む。
【００７１】
次に、図４Ａに示すフローチャートを用いて図１に示すカーナビゲーションシステムの動作を説明する。
【００７２】
まず、電源が投入されて処理がスタートすると、ステップＳ１でナビゲーションシステムが起動する。例えば、ユーザーにより車のキーが回され、車の電源が入ると、ナビゲーションシステムが起動する。
【００７３】
そして、ナビゲーションシステムが起動した後、次に、ステップＳ２に進み、ナビゲーションシステムの制御装置２(図１に示す)は、ドライブ装置１(図１に示す)により光ディスク１０のＲＯＭ層３３(図３Ａに示す)からＯＳプログラムを読み出し、ステップＳ３でＯＳプログラムが起動される。
【００７４】
次に、ステップＳ４に進み、ＯＳプログラムに基づいて、制御装置２は、光ディスク１０のＲＯＭ層３３からナビゲーションプログラムを読み込み、ステップＳ５でナビゲーションプログラムを起動する。
【００７５】
次に、ステップＳ６に進み、ナビゲーションプログラムが動作する。
【００７６】
そして、ナビゲーション動作が終了し、ユーザーによって電源が切られると、ナビゲーションプログラムおよびＯＳプログラムが終了し、最終的にナビゲーションシステムが終了する。
【００７７】
また、図４Ｂは図４Ａに示すフローチャートにおけるステップＳ１〜Ｓ３の詳細を説明するフローチャートを示している。
【００７８】
まず、ステップＳ１０１でナビゲーションシステムの電源をオンする。
【００７９】
次に、ステップＳ１０２に進み、制御装置２のＲＯＭ２２(図１０に示す)に記憶されたＰＯＳＴ(Power On Self Test；自己診断テスト)プログラムを実行する。ここで、ＰＯＳＴプログラムとは、電源投入時に自動的に実行されるハードウェアの診断テストのことである。詳しくは、メモリやディスクコントローラ、入力ボタンのコントローラなどの各機能ブロックに異常がないかを調べる。このＰＯＳＴプログラムは、ＢＩＯＳ(basic input output system)プログラムの一部として制御装置２のＲＯＭ２２に記憶されている。
この実施形態では、システム初期プログラムの一例としてＢＩＯＳプログラムを用いたが、システム初期プログラムはこれ限らず、ＥＦＩ(Extensible Firmware Interface)などの他のプログラムであってもよい。
【００８０】
次に、ステップＳ１０３に進み、制御装置２のＲＯＭ２２に記憶されたＢＩＯＳプログラムを実行する。ここで、ＢＩＯＳ(basic input output system)プログラムとは、ファームウェアの１つで、コンピュータに搭載されたプログラムのうちのハードウェアとの最も低レベルの入出力を行うためのプログラムである。
【００８１】
人間がコンピュータを操作するためのプログラムがＷｉｎｄｏｗｓやＭａｃＯＳといったＯＳ(Operating System：オペレーティング・システム) プログラムであるが、ＢＩＯＳは主にハードウェアを制御するためのプログラムである。
【００８２】
次に、ステップＳ１０４に進み、ＢＩＯＳが光ディスク１０を読みに行き、光ディスク１０の読込領域にあるＭＢＲ(Master Boot Record；マスター・ブート・レコード)を読み込む。ここで、ＭＢＲには、光ディスク１０を読み込むための専用のプログラムが記録されている。
【００８３】
次に、ステップＳ１０５に進み、マスターブートレコードの情報に従って、ＯＳの起動プログラムを読み込む。
【００８４】
次に、ステップＳ１０６に進み、ＯＳの起動プログラムによりＯＳプログラムを起動する。ここで、ＯＳプログラムとは、キーボード入力や画面出力といった入出力機能やディスクやメモリの管理など、多くのアプリケーションソフトから共通して利用される基本的な機能を提供し、コンピュータシステム全体を管理するソフトウェアである(「基本ソフトウェア」とも呼ばれる)。
【００８５】
このＯＳプログラムとしては、次のものがある。
ウィンドウズ(Ｗｉｎｄｏｗｓ９５(登録商標)，Ｗｉｎｄｏｗｓ２０００(登録商標)，ＷｉｎｄｏｗｓＭｅ(登録商標)，ＷｉｎｄｏｗｓＸＰ(登録商標)，ＷｉｎｄｏｗｓＶｉｓｔａ(登録商標))
MａｃＯＳ(登録商標)
リナックス(Ｌｉｎｕｘ(登録商標)，Ｆｅｄｏｒａ(登録商標)，Ｕｂｕｎｔｕ(登録商標))  他
【００８６】
上記ＯＳプログラムの起動時にハードウェアの認識プログラムが実行されて、表示部５、キー入力部６、スピーカー４などのハードウェアが自動認識され、必要なデバイスドライバが組み込まれる。
【００８７】
なお、ナビゲーションシステムの種類によっては、キー入力部の構成が異なるものがある。例えば、タッチパネル上で基本的な操作を可能とするものや、カーソルキー、実行ボタンなどは認識するようにするものや、使用できないボタンの注意を表示するものがある。
【００８８】
また、ハードウェアの認識プログラムが、表示部５の解像度、画素数等のモニタ性能を認識して、そのモニタ性能に合った最適な画像を出力する。例えば、モニタの解像度としては、次のものがある。
ＷＶＧＡ(Wide Video Graphics Array)：800×480ドット
ＶＧＡ(Video Graphics Array)：640×480ドット
ＱＶＧＡ(Quarter Video Graphics Array)：320×240ドット  他
【００８９】
また、ハードウェアの認識プログラムは、図１に示す車両位置検出部３をハードウェアとして認識して、ドライバを組み込み、使用可能とする。
【００９０】
そうして、ステップＳ１０７でナビゲーションプログラムが起動する。
【００９１】
次に、図４Ｃは図４Ａに示すフローチャートにおけるステップＳ６のナビゲーション動作の終了を説明するフローチャートを示している。
【００９２】
ステップＳ１１１でユーザーが電源オフの操作をする。例えば、ナビゲーションシステムの電源ボタンを長押ししたり、エンジンキーを抜いてエンジンを止めたりすることが、ナビゲーションシステムの電源オフの操作になる。
【００９３】
次に、ステップＳ１１２でデータの保存を行う。例えば、カーナビゲーションシステムでは、走行履歴などを保存する。ナビゲーションシステムの電源をオフする。
なお、ここでは、ナビゲーションシステムの電源オフ時にデータを保存したが、データの保存は随時行ってもよい。
【００９４】
次に、ステップＳ１１３に進み、ＯＳプログラムを終了する。
【００９５】
図５を用いてカーナビゲーションの動作を説明する。
【００９６】
まず、ナビゲーションプログラムが起動されると、ステップＳ１１でナビゲーションシステムの制御装置２は、地図データとユーザーデータを光ディスク１０のＲＡＭ層３１から読み込む。
【００９７】
次に、ステップＳ１２に進み、ＧＰＳ受信機３a(図１に示す)を用いて、車の現在位置を把握する。
【００９８】
そして、車両の現在位置が把握されると、ステップＳ１３に進み、図６に示すように、表示部５(図１に示す)により地図と車の位置が表示画面上に表示される。図６は、道路情報と建物の情報△印が車の現在位置である。
【００９９】
次に、ステップＳ１４に進み、ユーザーがキー入力部６(図１に示す)を操作することによって、目的地が設定されると、経路を検索する。このとき、ユーザーによる目的地の設定は、キー入力部６および表示部５上のタッチパネルを用いて行われる。
【０１００】
なお、目的地を設定するときに、上記ステップＳ１１で読み込んだユーザーデータを元に、予め目的地候補を表示部５に表示させて、ユーザーが選択できるようにしてもよい。
【０１０１】
この経路検索において、目的地までの経路を計算する。このときに、ユーザーデータの一つである計算条件(高速道路利用の有無、過去の走行ルート等)を光ディスク１０のＲＡＭ層３１から読み出して、経路選択に反映させる。また、通信機能を用いて取得した渋滞情報などを考慮して最適な経路を選択するようにしてもよい。
【０１０２】
そうして、最適経路を選択すると、ステップＳ１５に進み、図７に示すように、最適経路を表示部５の画面上に表示する。なお、このときに目的地までの距離、到着時刻が合わせて表示される。また音声によるアナウンスも行われる。
【０１０３】
こうして、音声または画面表示によって、ユーザーを道案内する。このときに、走行経路や走行時間等の走行データを、光ディスク１０のＲＡＭ層３１(図３Ａに示す)に記録する。
【０１０４】
なお、図８に示す点線の経路のように、地図データにない場所を走行した場合は、通信部２６(図１０に示す)を用いて通信を行う。具体的には、地図データにない場所を走行した場合に通信部２６により、地図データ提供会社に更新道路情報の問い合わせを行う。更新道路情報があった場合は、光ディスク１０のＲＡＭ層３１に更新地図情報として記録する。更新道路情報がない場合であっても、このような新規道路情報をユーザーデータとして記録し、次回のナビゲーションのときに、反映させるようにしてもよい。
上記通信部２６は、携帯電話ネットワーク、ＶＩＣＳ(Vehicle Information and Communication System ：ＦＭ多重放送や道路上の発信機から受信した交通情報を図形・文字で表示するシステム)などのネットワークと通信を行う機能を有し、更新情報や渋滞情報を受信する。
【０１０５】
次に、ステップＳ１７に進み、目的地に到着すると、その旨を音声または、画面表示によってユーザーに伝える。
【０１０６】
また、到着時間等を光ディスク１０のＲＡＭ層３１に記録する。
【０１０７】
目的地に駐車した後に、ユーザーによってナビゲーションシステムの電源が切られると、ナビゲーションプログラムの動作を終了する。
【０１０８】
このように、光ディスク１０のＲＯＭ層３３にＯＳプログラムとナビゲーションプログラムを記録し、ＲＡＭ層３１に地図情報・更新情報・ユーザーデータを記録しているので、別のカーナビゲーションシステムにこの光ディスク１０を挿入した場合にも、ユーザーは同一の環境下でナビゲーションを受けることができる。
【０１０９】
すなわち、異なるナビゲーションシステム間で、構成,機能の共通するシステムとして標準化されたカーナビゲーションシステムであれば、ユーザーデータの共有のみならず、同じナビゲーションプログラムを使用するから、ユーザーインターフェースを共通化することもできる。
【０１１０】
また、上記カーナビゲーションシステムに用いられる光ディスク１０は、車を離れたパーソナルコンピュータの環境で読み書きすることが可能であるので、パーソナルコンピュータにより地図データをＲＡＭ層に記録したり、地図データを読出しながら、軌跡データを書き込んだりすることが可能となる。
【０１１１】
したがって、例えば、家庭のパーソナルコンピュータでルート決定し、光ディスク１０に目的地を含む経路情報を記録して、その光ディスク１０を車のカーナビゲーションシステムのドライブ装置１に装着して使用することができる。
【０１１２】
また、上記読出し専用記録部である読出し専用記録層としてのＲＯＭ層３３と、記録可能な記録部である記録可能な記録層としてのＲＡＭ層３１とが積層された光ディスク１０を記録媒体として用いることによって、取り扱いが簡便で、ナビゲーションシステム間での移し替えが容易にできる。
【０１１３】
また、図３Ａに示すように、円盤状の基材としてのディスク基板３０と、そのディスク基板３０上に形成された記録可能な記録層としてのＲＡＭ層３１と、上記ＲＡＭ層３１上に形成された読出し専用記録層としてのＲＯＭ層３３と、上記ＲＯＭ層３３上に形成されたカバー層３４とを有する光ディスク１０を記録媒体として用いることによって、ＲＡＭ層３１とＲＯＭ層３３が２層構造であるので、記録容量を大幅に増やすことができる。また、関連するデータを光ディスク１０において同じ半径位置に記録して、ＲＡＭ層３１とＲＯＭ層３３に記録されたデータを交互に読み出すときにピックアップの移動を少なくすることができ、アクセス速度が向上して、読出し動作や書き込み動作の高速化が可能となる。したがって、車の移動に伴って地図表示が変わるディスクアクセスが煩雑になるナビゲーションにおいて、高速化に特に有効である。
【０１１４】
また、光ディスク１０のＲＯＭ層３３に大まかな地図データを記録し、ＲＡＭ層３１に詳細な地図データを記録することによって、表示部５に表示される地図の拡大,縮小をスムーズに行うことが可能となる。
【０１１５】
また、図３Ｂに示すコンビネーションブルーレイディスクを用いて、ＲＡＭ層４１に地図データを記録し、ＲＡＭ層４３にユーザーが入力するランドマークデータや軌跡データを記録することによって、地図と同時に表示部５に表示されるランドマークデータや軌跡データをスムーズに表示することが可能となる。
【０１１６】
また、上記ＲＯＭ層３３にＯＳプログラムが記録されていることによって、構成,機能の共通するシステムとして標準化されたナビゲーションシステムにおいて、制御の基幹となるＯＳプログラムの更新が容易にできる。
【０１１７】
また、上記構成のナビゲーションシステムによれば、ドライブ装置１に装着された光ディスク１０のＲＯＭ層３３に記憶されたナビゲーション用のアプリケーションプログラムを読み込むと共に、ＲＡＭ層３１に記録されたナビゲーション用データを含むユーザーデータを読み込む。そして、上記制御装置２により、ナビゲーション用のアプリケーションプログラムが実行されると、ユーザーデータに含まれるナビゲーション用データを用いて、道案内を行う。このようなユーザーデータのナビゲーション用データを用いて、ナビゲーション用のアプリケーションプログラムを実行するナビゲーションシステムを、構成,機能の共通するシステムとして標準化することによって、ユーザーが普段使っているナビゲーションシステムと異なるナビゲーションシステムを使用する場合においても、ユーザーデータを共有でき、同一のユーザーインターフェースを利用することができる。
【０１１８】
また、上記制御装置２は、ナビゲーション用のアプリケーションプログラムを実行しているとき、ドライブ装置１を制御して、ナビゲーション用データ取得部により取得されたナビゲーション用データを、ドライブ装置１により光ディスク１０のＲＡＭ層３１に書き込む。ここで、ナビゲーション用データを取得するナビゲーション用データ取得部は、車両位置検出部３やキー入力部６である。
【０１１９】
また、上記制御装置２は、ドライブ装置１を制御して、バッファメモリ７から読み込まれたナビゲーション用データを、光ディスク１０のＲＡＭ層３１にまとめて書き込むことによって、光ディスク１０への書き込み頻度を少なくし、光ディスク１０への書き込み動作を効率的に行うことができる。ここで、バッファメモリ７に記録されたデータの容量が所定値を越えたときに書き込み動作を行ってもよいし、バッファメモリ７に記録されたデータがあるときに所定時間毎に書き込み動作を行ってもよし、これらを組み合わせた書き込み動作でもよい。
【０１２０】
また、上記制御装置２によりドライブ装置１を制御して、ナビゲーション用データ取得部により取得された更新すべきナビゲーション用データについて、光ディスク１０のＲＡＭ層３１に記録されたナビゲーション用データを更新することにより、ＲＡＭ層３１のナビゲーション用データの更新が確実に行われる。
【０１２１】
また、上記光ディスク１０のＲＯＭ層３３からアプリケーションプログラムを読み込む前に、制御装置２によりドライブ装置１を制御して、光ディスク１０のＲＯＭ層３３に記録されたＯＳプログラムを読み出し、読み込まれたＯＳプログラムを実行することによって、制御の基幹となる汎用性の高いＯＳプログラムをナビゲーションシステムに導入して、標準化することができる。
【０１２２】
また、上記制御装置２によりドライブ装置１を制御して、光ディスク１０のＲＡＭ層３１に対してナビゲーション用データのうちの地図データの読み込みおよび書き込みを行うことによって、読み込まれた地図データによりナビゲーション動作を行うと共に、更新が必要な地図データに対して新しい地図データを書き込んで更新することができる。また、光ディスク１０のＲＡＭ層３１に対して地図データを一括して更新することができる。
【０１２３】
また、上記制御装置２によりドライブ装置１を制御して、光ディスク１０のＲＡＭ層３１に対してコンテンツデータの読み込みおよび書き込みを行うことによって、ユーザーが普段使っているナビゲーションシステムと異なるナビゲーションシステムを使用する場合においても、音楽,映像,画像などのコンテンツデータを読み込んで、再生することができる。他人の車でも自分の運転環境を実現できる。
【０１２４】
図１０は上制御装置２の構成を示すブロック図を示しており、２１はＣＰＵ(Central Processing Unit：中央処理装置)、２２はＢＩＯＳ(basic input output system)プログラムが記憶されるＲＯＭ(リード・オンリー・メモリー)、２３は一時的にデータを記憶する揮発性のワークメモリであるＲＡＭ(ランダム・アクセス・メモリー)、２４はデータを不揮発的に記憶する機能を有するＨＤＤ(ハード・ディスク・ドライブ)、２５は入出力インターフェース、２６は通信部、２７はナビゲーションシステム用の電源スイッチである。ここで、ＢＩＯＳプログラムは、電源がオンされたときに実行されるプログラムである。
【０１２５】
なお、ＨＤＤ２４に限定されることなく、データを不揮発的に記憶する機能を有するメモリであってもよい。
【０１２６】
ＣＰＵ２１は、バスを介してＲＯＭ２２,ＲＡＭ２３,ＨＤＤ２４,入出力インターフェース２５および通信部２６に接続され、入出力インターフェース２５を介して、図１に示す車両位置検出部３とスピーカー４と表示部５とキー入力部６にアクセスする。
【０１２７】
この制御装置２は、電源スイッチ２７がオンされて電源２０から電力が供給されると、ＲＯＭ２２に記憶されたＢＩＯＳプログラムを実行することにより、ＢＩＯＳプログラムに基づく初期処理を行う。
【０１２８】
また、制御装置２は、光ディスク１０やＨＤＤ２４に記憶されたプログラムに従って、ナビゲーションシステムの各部に対する処理や演算処理などを行う機能を有する。
【０１２９】
次に、図１１は上記ドライブ装置１の構成を示すブロック図を示しており、７１はＭＰＵ(マイクロプロセシング装置)、７２は制御装置２の入出力インターフェース２５に接続されるインターフェース、７３はＳＤＲＡＭ(シンクロナス・ダイナミック・ランダム・アクセス・メモリ)、７４はフラッシュメモリ、７５は光ディスク１０の読出し書き込みのためのピックアップである。
【０１３０】
ここで、インターフェース７２は、ＳＡＴＡ(Serial Advanced Technology Attachment)、ＵＳＢ(Universal Serial Bus)、ＩＥＥＥ１３９４、ＳＣＳＩ(Small Computer System Interface)などが用いられ、汎用性およびデータ通信速度の観点から、ＳＡＴＡまたはＵＳＢであるのが好ましい。
【０１３１】
ピックアップ７５は、ＭＰＵ７１からの制御信号に基づいて駆動され、光ディスク１０のＲＯＭ層３３やＲＡＭ層３１に記録されているデータを読み出したり、ＲＡＭ層３１にデータを書き込んだりするための光源と受光部を備えている。
【０１３２】
また、フラッシュメモリは、電源を切っても記憶した内容の消えない不揮発性メモリであり、光ディスク１０に記録されているデータをキャッシュデータとして一時的に記録するキャッシュメモリとして機能する(キャッシュデータ以外のデータを記録するデータメモリとしても機能する)。また、フラッシュメモリのうちのキャッシュデータの記録されていない領域には、キャッシュデータ以外のデータを記録することができる。
【０１３３】
ここで、「キャッシュデータ」とは、フラッシュメモリに記録された光ディスク１０に記録されているデータのことである。また、「キャッシュメモリ」とは、光ディスク１０に記録されたデータを一時的に記録すると共に、光ディスク１０へのデータの読み出しがあった場合には、そのデータを光ディスク１０からではなくフラッシュメモリから読み出す機能を有するメモリのことである。上記フラッシュメモリは、ＮＡＮＤ型のフラッシュメモリを用いてもよいし、ＮＯＲ型のフラッシュメモリを用いてもよい。
【０１３４】
〔第２実施形態〕
図９はこの発明の第２実施形態のナビゲーションシステムを搭載した携帯端末の一例としての携帯電話端末の構成を示すブロック図である。
【０１３５】
この第２実施形態の携帯電話端末は、図９に示すように、記録媒体の一例としてのコンビネーションブルーレイディスク６０が装着される記録再生装置の一例としてのドライブ装置６１と、上記ドライブ装置６１を制御して、コンビネーションブルーレイディスク６０の読み込みおよび書き込みを行う制御装置６２と、現在位置を検出して位置情報を制御装置６２に出力する位置検出部６３と、上記制御装置６２により制御され、音声案内によりユーザーにナビゲーションを行うスピーカー６４と、上記制御装置６２により制御され、地図や自車両の位置を表示させる液晶ディスプレイ等からなる表示部６５と、上記制御装置２により制御され、ユーザーからのキー操作を受け付けるキー入力部６６と、バッファメモリ６７とを備えている。上記コンビネーションブルーレイディスク６０は、ＯＳ(Operation System：オペレーティング・システム)プログラムやナビゲーションプログラム等を含む読出し専用記録部の一例としての再生領域と、ユーザーデータなどを記録する記録領域とからなる光ディスクである。
【０１３６】
この携帯電話端末のドライブ装置６１と制御装置６２とスピーカー６４と表示部６５とキー入力部６６およびバッファメモリ６７とは、第１実施形態のカーナビゲーションシステムと同等の機能を有するが、可搬性を高めるために小型化,軽量化された形態が望ましい。
【０１３７】
上記位置検出部６３は、ＧＰＳ受信機６３aと、ジャイロ６３bとを有する。上記ＧＰＳ受信機６３aによりＧＰＳ衛星からの位置情報電波をＧＰＳアンテナ６８で受信して、受信した位置情報に基づいて現在位置を示す緯度,経度を算出する。
【０１３８】
なお、この携帯電話端末のコンビネーションブルーレイディスク６０には、携帯性を向上させるために小径のディスクを適用する。
【０１３９】
また、この携帯電話端末によれば、ナビゲーションシステムを搭載することによって、端末が変わった場合においても、ユーザーデータを共有でき、同一のユーザーインターフェースを利用することができる。
【０１４０】
〔第３実施形態〕
図１２はこの発明の第３実施形態の記録媒体の一例として光ディスクを用いたパーソナルコンピュータの構成を示すブロック図である。
【０１４１】
この第３実施形態のパーソナルコンピュータＰＣ１は、図１２に示すように、光ディスク１０が装着される記録再生装置の一例としての記録媒体アクセス部２００と、制御部２０３と、ＢＩＯＳプログラム２０４aが記憶されたＲＯＭ２０４と、プログラム２０５aが記憶された記憶部２０５と、ＲＡＭ２０６と、表示部２０７と、入力部２０８と、インターネット網２１１に接続された通信部２０９とを備えている。上記パーソナルコンピュータＰＣ１は、電源部２１０から電力が供給される。
上記記憶部２０５に記憶されたプログラム２０５aは、ＯＳ(例えばマイクロソフト社のウィンドウズ(Ｗｉｎｄｏｗｓ)など)やアプリケーションプログラム(例えばマイクロソフト社のワード(Ｗｏｒｄ)やエクセル(Ｅｘｃｅｌ)など)である。このパーソナルコンピュータＰＣ１では、記憶部２０５のＯＳは実行せずに、光ディスク１０に記録されているＯＳとナビゲーションプログラムを実行することができる。
【０１４２】
上記記録媒体アクセス部２００は、制御部２０１とバッファ２０２とを有し、記録媒体の一例としての光ディスク１０のＲＯＭ層３３の読出しを行うと共に、ＲＡＭ層３１の読出し書き込みを行う。
【０１４３】
上記構成のパーソナルコンピュータＰＣ１において、光ディスク１０のＲＯＭ層３３に記憶されたナビゲーションプログラムを起動することによって、家庭内でカーナビの設定が可能となる。この場合、パーソナルコンピュータＰＣ１の表示部２０７のモニタ表示を見ながら、入力部２０８のキーボードやマウスで設定するほうが設定しやすく、操作性がよい。また、インターネット等の情報検索と合わせてナビゲーションのセッティングができる。
【０１４４】
従来、通常のプログラムは、パーソナルコンピュータのＨＤＤに記憶されたＯＳプログラムとの互換性を考慮する必要がある。例えば、ウィンドウズ(登録商標)，MａｃＯＳ(登録商標)，リナックス(登録商標)に対するプログラムの互換性が必要である。
【０１４５】
これに対して、上記第３実施形態のパーソナルコンピュータＰＣ１では、光ディスク１０が起動ファイルを内蔵しているブータブルディスクであるので、ＯＳに依存することなく、起動が可能である。特に、最近のパーソナルコンピュータは、光学ドライブからの起動が可能である。
【０１４６】
次に、上記パーソナルコンピュータＰＣ１における操作手順を以下に説明する。
(1)  パーソナルコンピュータＰＣ１の電源を入れる。
(2)  パーソナルコンピュータＰＣ１のＢＩＯＳのセッティングを行う。この場合、通常のＰＣであれば、Ｆ２キーやＦ１０キーを押す。そして、ＢＩＯＳのセッティング画面を表示して、上下ボタンやＥＮＴＥＲボタンの操作によって、ブートデバイスを記録媒体アクセス部２００に設定する。
(3)  ＢＩＯＳのプログラムにより光ディスク１０にアクセスして、光ディスク１０からＯＳが起動する。この起動の手順は、第１実施形態の場合と同様であり、終了の際の動作も同様である(データ保存は光ディスク１０のＲＡＭ層３１に保存)。
【０１４７】
また、パーソナルコンピュータＰＣ１のＯＳ上でナビゲーションプログラムを実行することもできる。光ディスク１０は、ブータブルディスクではあるが、光ディスク１０のナビゲーションプログラムは、パーソナルコンピュータＰＣ１のＯＳ上で動くプログラムでもある。この場合、記憶部２０５に記憶されたＯＳを例えばウィンドウズ(Ｗｉｎｄｏｗｓ)とすると、光ディスク１０に記録されたナビゲーションプログラムは、ウィンドウズ上で動くワード(Ｗｏｒｄ)やエクセル(Ｅｘｃｅｌ)などのアプリケーションプログラムと同様に、ウィンドウズに対応したプログラムである。
【０１４８】
このときの操作手順を以下に説明する。
(1)  通常の操作にしたがって、ウィンドウズを起動する。
(2)  ウィンドウズの起動後に光ディスク１０を記録媒体アクセス部２００に挿入する。
【０１４９】
そうして、ウィンドウズ上で、ナビゲーションプログラムを起動する。このとき、光ディスク１０の挿入と同時に自動的にナビゲーションプログラムが起動するか、あるいは、ユーザーの操作でナビゲーションプログラムを起動する。例えば、光ディスク１０の挿入後に、エキスプローラー(ウィンドウズのユーザーインターフェース)上に表示されたアイコンをポインティングデバイスで指定してダブルクリック操作することにより、ナビゲーションプログラムを起動させる。
【０１５０】
この場合は、光ディスク１０のＯＳは実行されず、ウィンドウズ上でナビゲーションプログラムのみ実行される。したがって、ウィンドウズ上で他のソフトウェアと同時に操作が可能となり、利便性が向上する。
例えば、インターネットで地図や地名を調べながら、同時にナビゲーションシステムの目的地の入力が可能となる。
また、パーソナルコンピュータＰＣ１のナビゲーションシステム上で目的地等の設定を行った後は、光ディスク１０上に設定が記録される。その後に光ディスク１０をパーソナルコンピュータＰＣ１から取り出してナビゲーションシステムに挿入すると、設定した目的地までのナビゲーションが行われる。
【０１５１】
上記第３実施形態の光ディスク１０によれば、通常使い慣れているナビゲーションシステムが変わった環境下においても、ユーザーデータを共有でき、同一のユーザーインターフェースを利用することができる。
【０１５２】
上記第１〜第３実施形態では、記録媒体としてブルーレイディスクを用いたが、ＣＤ(Compact Disc：コンパクト・ディスク)，ＤＶＤ(Digital Versatile Disc：ディジタル多用途ディスク),ＭＤ(Mini Disc)などを用いてもよい。
【０１５３】
また、上記第１〜第３実施形態において、アプリケーションの動作に関して、それぞれの長所を生かして、大容量のＨＤＤ、高速なフラッシュメモリ、大容量で持ち運び容易な光ディスクの記録層を組み合わせてもよい。
【０１５４】
例えば、フラッシュメモリに一時的なデータを読み書きしたり、ＨＤＤに超大容量が必要な地図データ等のデータを記憶したり、光ディスクにＯＳ、プログラム、ユーザー設定、走行履歴などを記憶したりする。なお、地図データ等をダウンロードしてＨＤＤに記憶する場合、光ディスクを別のカーナビに使用したときに再度ダウンロードが必要となる。
【０１５５】
また、光ディスクは、ブータブルディスクであればなおよい。ブータブルディスクは、コンピュータの起動のために必要な情報が入ったディスク媒体のことであり、ブータブルディスクをブートに対応したディスクドライブに入れた状態でコンピュータを起動すると、コンピュータが自動的にブータブルディスクの内容を読み込んで起動する。また、ブータブルディスクは、ＯＳプログラムが起動していない段階で、起動可能なシステムを備えたディスクである。
【０１５６】
また、光ディスクとは、光学的に情報が読み取り可能なディスクのことであり、例えば、ＢＤ(Blu-ray Disc：ブルーレイディスク)、ＤＶＤ(Digital Versatile Disc：ディジタル多用途ディスク)、ＣＤ(Compact Disc：コンパクト・ディスク)、ＭＤ(Mini Disc)などである。この光ディスクは、ＨＤＤに比べて、ヘッドや筐体を含まないため、安価、軽量、コンパクトであり、手軽に持ち運ぶことが可能で、ユーザーにとって利便性がよい。
【０１５７】
この発明の具体的な実施の形態について説明したが、この発明は上記第１,第２実施形態に限定されるものではなく、この発明の範囲内で種々変更して実施することができる。
【図面の簡単な説明】
【０１５８】
【図１】図１はこの発明の第１実施形態の記録媒体を用いたナビゲーションシステムの一例としてのカーナビゲーションシステムの構成を示すブロック図である。
【図２】図２は上記カーナビゲーションシステムに用いられるコンビネーションブルーレイディスクとドライブ装置を示す模式図である。
【図３Ａ】図３Ａは上記カーナビゲーションシステムに用いられる２層構造のコンビネーションブルーレイディスクの断面図である。
【図３Ｂ】図３Ｂは上記カーナビゲーションシステムに用いられる他の３層構造のコンビネーションブルーレイディスクの断面図である。
【図３Ｃ】図３Ｃは上記カーナビゲーションシステムに用いられる他の３層構造のコンビネーションブルーレイディスクの断面図である。
【図４Ａ】図４Ａは上記カーナビゲーションシステムの動作を説明するフローチャートである。
【図４Ｂ】図４Ｂは図４Ａに示すフローチャートにおけるステップＳ１〜Ｓ３の詳細を説明するフローチャートである。
【図４Ｃ】図４Ｃは図４Ａに示すフローチャートにおけるステップＳ６のナビゲーション動作の終了を説明するフローチャートである。
【図５】図５は上記カーナビゲーションシステムのナビゲーションの動作を説明するフローチャートである。
【図６】図６は上記カーナビゲーションシステムの表示例を示す図である。
【図７】図７は上記カーナビゲーションシステムの他の表示例を示す図である。
【図８】図８は上記カーナビゲーションシステムの他の表示例を示す図である。
【図９】図９はこの発明の第２実施形態のナビゲーションシステムを搭載した携帯端末の一例としての携帯電話端末の構成を示すブロック図である。
【図１０】図１０は上記第１実施形態のカーナビゲーションシステムの制御装置の構成を示すブロック図である。
【図１１】図１１は上記カーナビゲーションシステムのドライブ装置の構成を示すブロック図である。
【図１２】図１２はこの発明の第３実施形態のナビゲーションシステムを搭載したパーソナルコンピュータの構成を示すブロック図である。
【符号の説明】
【０１５９】
１,６１…ドライブ装置
２,６２…制御装置
３…車両位置検出部
３a…ＧＰＳ受信機
３b…ジャイロ
３b…車速パルスセンサ
４,６４…スピーカー
５,６５…表示部
６,６６…キー入力部
７,６７…バッファメモリ
１０…光ディスク
１１,６８…ＧＰＳアンテナ
２１…ＣＰＵ
２２…ＲＯＭ
２３…ＲＡＭ
２４…ＨＤＤ
２５…入出力インターフェース
２６…通信部
２７…電源スイッチ
３０,４０,５０…ディスク基板
３１,４１,４３,５１,４３…ＲＡＭ層
３２,４２,４４,５２,５４…中間層
３３,４５,５５…ＲＯＭ層
３４,４６,５６…カバー層
５３…ＲＯ層
６３…位置検出部
７１…ＭＰＵ
７２…インターフェース
７３…ＳＤＲＡＭ
７４…フラッシュメモリ
７５…ピックアップ
２００…記録媒体アクセス部
２０１…制御部
２０２…バッファ
２０３…制御部
２０４a…ＢＩＯＳプログラム
２０４…ＲＯＭ
２０５a…プログラム
２０５…記憶部
２０６…ＲＡＭ
２０７…表示部
２０８…入力部
２０９…通信部
ＰＣ１…パーソナルコンピュータ
【図１】
2010003398.tif 000003
【図２】
2010003398.tif 000004
【図３Ａ】
2010003398.tif 000005
【図３Ｂ】
2010003398.tif 000006
【図３Ｃ】
2010003398.tif 000007
【図４Ａ】
2010003398.tif 000008
【図４Ｂ】
2010003398.tif 000009
【図４Ｃ】
2010003398.tif 000010
【図５】
2010003398.tif 000011
【図６】
2010003398.tif 000012
【図７】
2010003398.tif 000013
【図８】
2010003398.tif 000014
【図９】
2010003398.tif 000015
【図１０】
2010003398.tif 000016
【図１１】
2010003398.tif 000017
【図１２】
2010003398.tif 000018